(57)【要約】【課題】風によって吹き消され難い蝋燭の提供。【解決手段】本発明は、中央に位置する芯と蝋母体とで形成される蝋燭において、前記蝋母体は、前記中央の芯を軸心として同心円状に配置された焼失可能な副芯を有することを特徴とする。又、副芯は、筒形に形成されたことを特徴とする。又、副芯は、少なくとも３本以上の線状又は帯状の芯部材から成り、各芯部材が中央の芯を囲むよう互いに略等間隔に配置されて形成されたことを特徴とする。【選択図】        図１
2004149750.tif 000002
【特許請求の範囲】
【請求項１】
中央に位置する芯と蝋母体とで形成される蝋燭において、
前記蝋母体は、前記中央の芯を軸心として同心円状に配置された焼失可能な副芯を有することを特徴とする蝋燭。
【請求項２】
副芯は、筒形に形成されたことを特徴とする請求項１に記載の蝋燭。
【請求項３】
副芯は、少なくとも３本以上の線状又は帯状の芯部材から成り、各芯部材が中央の芯を囲むよう互いに略等間隔に配置されて形成されたことを特徴とする請求項１に記載の蝋燭。
【請求項４】
副芯は、溶融蝋液が浸透可能であることを特徴とする請求項１乃至請求項３の何れかに記載の蝋燭。
【請求項５】
副芯は、溶融蝋液が含浸され固化されて形成されたことを特徴とする請求項１乃至請求項３の何れかに記載の蝋燭。
【請求項６】
副芯は、柱状に形成された蝋母体の外周面に形成されたことを特徴とする請求項１乃至請求項５の何れかに記載の蝋燭。
【請求項７】
副芯が配設された蝋母体の外周面に蝋材による外層が形成されたことを特徴とする請求項１乃至請求項６の何れかに記載の蝋燭。
【請求項８】
副芯は、点火された中央の芯の火勢によって何れ自ずと着火する位置に形成されたことを特徴とする請求項１乃至請求項５の何れかに記載の蝋燭。
【請求項９】
副芯は、１枚又は少なくとも２枚重ねの薄紙で形成されたことを特徴とする請求項１乃至請求項６の何れかに記載の蝋燭。
【発明の詳細な説明】
【０００１】
【発明の属する技術分野】
本発明は、蝋燭の構造に関し、詳しくは、風によって吹き消され難い蝋燭に関する。
【０００２】
【従来の技術】
従来の一般的な蝋燭は、円柱形に成形された蝋母体の軸心に一本の芯を配設した構成に形成されている。
【０００３】
【発明が解決しようとする課題】
しかし、従来の蝋燭は、着火される芯が一本であるため、風に吹き消され易いという弱点があった。
本発明の目的は、風によって吹き消され難い蝋燭の提供にある。
【０００４】
【課題を解決するための手段】
請求項１の蝋燭の発明は、中央に位置する芯と蝋母体とで形成される蝋燭において、前記蝋母体は、前記中央の芯を軸心として同心円状に配置された焼失可能な副芯を有することを特徴とする。
【０００５】
請求項２の発明は、請求項１に記載の蝋燭において、副芯は、筒形に形成されたことを特徴とする。
【０００６】
請求項３の発明は、請求項１に記載の蝋燭において、副芯は、少なくとも３本以上の線状又は帯状の芯部材から成り、各芯部材が中央の芯を囲むよう互いに略等間隔に配置されて形成されたことを特徴とする。
【０００７】
請求項４の発明は、請求項１乃至請求項３の何れかに記載の蝋燭において、副芯は、溶融蝋液が浸透可能であることを特徴とする。
【０００８】
請求項５の発明は、請求項１乃至請求項３の何れかに記載の蝋燭において、副芯は、溶融蝋液が含浸され固化されて形成されたことを特徴とする。
【０００９】
請求項６の発明は、請求項１乃至請求項５の何れかに記載の蝋燭において、副芯は、柱状に形成された蝋母体の外周面に形成されたことを特徴とする。
【００１０】
請求項７の発明は、請求項１乃至請求項６の何れかに記載の蝋燭において、副芯が配設された蝋母体の外周面に蝋材による外層が形成されたことを特徴とする。
【００１１】
請求項８の発明は、請求項１乃至請求項５の何れかに記載の蝋燭において、副芯は、点火された中央の芯の火勢によって何れ自ずと着火する位置に形成されたことを特徴とする。
【００１２】
請求項９の発明は、請求項１乃至請求項６の何れかに記載の蝋燭において、副芯は、１枚又は少なくとも２枚重ねの薄紙で形成されたことを特徴とする。
【００１３】
【発明の実施の形態】
実施の形態１．
実施の形態１の蝋燭は、中央に芯が配置された円柱状の蝋母体に、前記中央の芯を軸心として同心円状に焼失可能な副芯を配置した形態の蝋燭である。以下、これを図１乃至図２に基づいて説明する。図１は縦断面図、図２は横断面図である。
【００１４】
図１及び図２において、円柱形状に形成された蝋母体１の中央、この例では軸心に、芯２が配置された構成は一般的な蝋燭の構成と全く同様である。
実施の形態１では、この一般的な蝋燭の蝋母体１の外周面に、前記芯２を軸心として同心円状となるように副芯を筒形に形成したものである。
【００１５】
副芯３は、溶融蝋液が浸透可能で焼失可能な適当な素材、例えば紙を用いる。例えば、蝋母体１の外周面に比較的薄い紙を１枚或いは少なくとも２枚以上用いて蝋母体１の外周面に、例えば、一重、又は二重若しくは三重以上に巻いて、筒形の副芯３を成形する。
そしてこの副芯３には、塗布やどぶ漬け等の適宜な手段にて、溶融蝋液を含浸させて固化させる。これにより、副芯３は、蝋母体１と容易に一体化するだけでなく、蝋母体１の外周面を保護すると共に蝋燭自体の剛性を高めるので、従来の蝋燭に比べて、外周面に欠けが生じ難く、しかも、軸折れし難いものとなる。
【００１６】
又、副芯３は、点火された中央の芯２の火勢によって何れ自ずと着火する位置となるように形成するのが好ましい。この実施の形態１では、円柱状の蝋母体１の径を適宜な径とすることによって、中央の芯２に対して同心円状に形成される筒状の副芯３を、点火された芯２から自然に引火し易い半径距離を隔てた位置としている。これによって、中央の芯２に点火するだけで、蝋母体１の上端面側において円形に延在する副芯３に引火させることができる。引火は副芯３の一部に引火すればよい。
【００１７】
しかし、副芯３は、点火された中央の芯２の火勢によって何れ自ずと着火する位置に必ずしも形成する必要はない。この場合には、点火された中央の芯２の火勢によって、円柱状の蝋母体１の上端面が適当に液化（溶融蝋液化）して濡れた状態となった段階で、蝋母体１を水平状態に傾けることで、芯２の炎を同心円状に配置された副芯３の一部に引火させることができる。
何れにしても、副芯３の一部に引火した火は、蝋母体１の上端面側において円形に延在する副芯３に全体に延焼して行き、終には副芯３が火輪状態となって燃え上る。
【００１８】
この実施の形態１の蝋燭１０によれば、蝋母体１の上端面では、点火された中央の芯２とこの芯２を中心に円形に延在する副芯３とが燃え上がる。
従って、従来の蝋燭のように、中央の芯２が一本だけ燃える場合に比べて、副芯３が火輪状に燃える分だけ火勢が強くなるため、風によって吹消され難くなる。
又、着火して燃焼している領域が、中央の芯２の一点だけでなく、円形に延在する副芯３の全領域となるため、仮に、副芯３の一部の炎や芯２の炎が風で吹き消されても、副芯３の他の部分の火が吹き消された部分に延焼するし、中央の芯２が消えても副芯３の火が逆に引火するため、何れも、速やかに再燃させることができるので、風に吹き消され難くなる。
【００１９】
実施の形態２．
実施の形態２は、上記実施の形態１の、外周面に副芯３が形成された蝋母体１の外周に、更に、比較的厚く蝋材による外層１１を形成したものである。これを図３及び図４に基いて説明する。図３は縦断面図、図４は横断面図である。
【００２０】
図２及び図３において、外層１１は蝋母体１の外周面に副芯３を形成した後、更に転成加工法等の適宜な手段により、副芯３の外周面に適当な厚さの外層１１が形成されるよう、例えば、蝋母体１と同成分の蝋材によって形成する。
外層１１の厚さは、副芯３が燃焼する際に消費するに相応する溶融蝋液が供給できる量とするのが好ましく。このようにすると、蝋母体１と芯２で形成された蝋燭の燃焼時間と等しい燃焼時間を確保させることができる。
【００２１】
実施の形態２の蝋燭２０によれば、少なくとも、上記実施の形態１の蝋燭１０に比べて、芯２及び副芯３が燃焼する際に供給される溶融蝋液の量が多くなるので、火勢をより確実に維持させることができ、更に、風に吹き消され難い蝋燭とすることができる。
【００２３】
実施の形態３．
実施の形態３は、上記実施の形態２の副芯３が筒状であるのに対し、当該副芯３を、線状の芯部材３２を複数用いて同心円状に配置して構成し、実質的に上記の実施の形態２の蝋燭２０と同様の作用効果を奏する蝋燭３０としたものである。これを図５に基いて説明する。図５は横断面図である。
【００２４】
図示の副芯３は、中央の芯２を中心にして円形に囲むように、多数の線状の芯部材３２を互いに略等間隔に配置してある。この芯部材３２と芯部材３２との間隔は、一方の芯部材３２の火勢によって他方の芯部材３２に容易に引火する間隔とする。これによって、実質的に上記の実施の形態２の蝋燭２０と同様の作用効果を奏する蝋燭３０となる。
【００２５】
尚、図示の例では、多数の芯部材３２を用いて副芯３を構成しているが、必ずしも多数の芯部材３２を配置する必要はなく、少なくとも３本以上の芯部材３２を互いに引火し易い間隔で配置してもよい。勿論、これ等の各芯部材３２は中央の芯２とも引火しやすい間隔（距離）とする。
【００２６】
実施の形態４．
実施の形態４は、上記実施の形態３の副芯３が線状の芯部材３２を少なくとも３本以上用いて構成してあるのに対し、当該副芯３を、帯状の芯部材３３としてこれを少なくとも３本以上用いて構成し、実質的に上記の実施の形態２の蝋燭２０、従って、上記の実施の形態３の蝋燭２０と同様の作用効果を奏する蝋燭４０としたものである。これを図６に基いて説明する。図６は横断面図である。
【００２４】
図示の副芯３もまた、中央の芯２を中心にして円形に囲むように、多数の帯状の芯部材３３を互いに略等間隔に配置してある。この芯部材３３と芯部材３３との間隔は、一方の芯部材３３の火勢によって他方の芯部材３３に容易に引火する間隔としてある。これによって、実質的に上記の実施の形態２及び形態３の蝋燭２０や蝋燭３０と同様の作用効果を奏する蝋燭４０となる。
【００２５】
【発明の効果】
請求項１乃至請求項９の発明によれば、何れも、風に吹き消され難い蝋燭を提供することができる。
【００２６】
又、中央の芯に対して同心円的に副芯が配設されているので、蝋燭自体の剛性を増すことができ、従来の芯一本の蝋燭に比べて、折れ難い蝋燭を提供することができる。
【００２７】
請求項７の発明によれば、外層を設けることにより、芯及び副芯が燃焼する際に供給される溶融蝋液の量を多くすることができるので、火勢をより確実に維持させることができ、更に、風に吹き消され難い蝋燭を提供することができる。
【図面の簡単な説明】
【図１】実施の形態１の蝋燭の縦断面図である。
【図２】実施の形態１の蝋燭の横断面図である。
【図３】実施の形態２の蝋燭の縦断面図である。
【図４】実施の形態２の蝋燭の横断面図である。
【図５】実施の形態３の蝋燭の横断面図である。
【図６】実施の形態４の蝋燭の横断面図である。
【符号の説明】
１  蝋母体
２  芯（中央の芯）
３  副芯
１０  蝋燭（実施の形態１）
１１  外層
２０  蝋燭（実施の形態２
３０  蝋燭（実施の形態３）
３２  芯部材（線状の副芯３）
３３  芯部材（帯状の副芯３）
４０  蝋燭（実施の形態４）
【図１】
2004149750.tif 000003
【図２】
2004149750.tif 000004
【図３】
2004149750.tif 000005
【図４】
2004149750.tif 000006
【図５】
2004149750.tif 000007
【図６】
2004149750.tif 000008